(57)【要約】  【課題】  空気調和機を梱包するときに用いられ、フォークリフトのフォークによって底部緩衝材や底部カートンが損傷してしまうおそれがないようにした梱包装置を提供する。  【解決手段】  上部に空気調和機（被梱包品）１を載置し、底部に下方を開放して前後に貫通する一対の逆凹溝２を夫々備えた底部緩衝材３と、前記底部に密接する底面４および前記逆凹溝２に密接する段付面５を備えた底部カートン６と、前記室外機（被梱包品）１の上部に被着される上部緩衝材７と、これらの上方から被着される上部カートン８とからなる構成にした。【選択図】  図１
2006001576.tif 000002
【特許請求の範囲】
【請求項１】
上部に被梱包品を載置し、底部に下方を開放して前後に貫通する一対の逆凹溝を備えた底部緩衝材と、前記底部に密接する底面および前記逆凹溝に密接する段付面を夫々備えた底部カートンと、前記被梱包品の上部に被着される上部緩衝材と、これらの上方から被着される上部カートンとからなることを特徴とする梱包装置。
【発明の詳細な説明】
【技術分野】
【０００１】
本発明は、梱包装置に係わり、より詳細には、空気調和機を梱包するときに用いられる底部緩衝材および底部カートン等からなる梱包装置の底部側の構造に関する。
【背景技術】
【０００２】
空気調和機の室外機を梱包する従来の梱包装置には、構造が簡単で作業性がよくコストを低減できるばかりでなく、廃棄処分時の分解作業が容易なものとして、一方の対向する側壁にそれぞれ一対の勘合穴が設けられ、底部に切り起こしにより形成されたほぼＴ字状の一対の係止片を有する箱状の底部外装ダンボールと、外側の側壁に外装ダンボールに設けた勘合穴に勘合する凸部が設けられ、内側の側壁に底部外装ダンボールの係止片が係止する係止部が設けられて底部外装ダンボール内に挿入されるブロック状の一対の底部緩衝材とを備え、同底部緩衝材の下面の梱包する室外機の脚部に対応した位置に凹溝を設けると共に、底部外装ダンボールの他方の対向する側壁の凹溝に対応する位置に貫入穴を設けてなる構成が開示されていた（例えば、特許文献１参照。）。
【０００３】
上記構成により、梱包した室外機をフォークリフトを用いて運搬する際、フォークリフトのフォークを貫入穴から貫入し、底部緩衝材の下面の凹溝に位置合わせして上方に持ち上げるようになっている。
【０００４】
これにより、例えば梱包装置の底部側に木材を用いている場合には、輸出国に虫などの生物が混入しないようにするための薫蒸処理が必要であったが、木材を用いないのでこの薫蒸処理を不要にすることができるようになっており、また、木材に替えて高価なハードボードを用いている場合にはコスト的に不利であったが、廉価な構成でなる外装ダンボールを用いたことでコスト的に有利な構成になっていた。
【０００５】
しかしながら、フォークリフトのフォークが、発泡スチロールからなる底部緩衝材の下面の凹溝に直接触れる構成になっていることで、該箇所に破損が生じて緩衝性能が劣化してしまうおそれがあるという問題点を有していた。
また、前記底部外装ダンボールの貫入穴にフォークを貫入させる際、箱状に形成された前記底部外装ダンボールの底面にフォークが接触して、該箇所を損傷させてしまうおそれがあった。
【０００６】
【特許文献１】特開２００２−２５５２７６号公報（第１頁〜第６頁、第１図〜第５図）
【発明の開示】
【発明が解決しようとする課題】
【０００７】
本発明は上記の問題点に鑑み、空気調和機を梱包するときに用いられ、フォークリフトのフォークによって底部緩衝材や底部カートンが損傷してしまうおそれがないようにした梱包装置を提供することを目的とする。
【課題を解決するための手段】
【０００８】
本発明は、上記課題を解決するため、上部に被梱包品を載置し、底部に下方を開放して前後に貫通する一対の逆凹溝を夫々備えた底部緩衝材と、前記底部に密接する底面および前記逆凹溝に密接する段付面を備えた底部カートンと、前記被梱包品の上部に被着される上部緩衝材と、これらの上方から被着される上部カートンとからなる構成となっている。
【発明の効果】
【０００９】
本発明によれば、フォークリフトのフォークがダンボールからなる底部カートンによってカバーされることにより、底部緩衝材や底部カートンに直接触れてこれを損傷してしまうということがなくなり、底部緩衝材や底部カートンの破損により緩衝性能が劣化してしまうおそれがないようにした梱包装置となる。
【発明を実施するための最良の形態】
【００１０】
以下、本発明の実施の形態を、添付図面に基づいた実施例として詳細に説明する。
図１は本発明による梱包装置の第一の実施例を示す分解斜視図であり、図２は第一の実施例の要部斜視図であり、図３は本発明による梱包装置の第二の実施例を示す分解斜視図であり、図４は第二の実施例の要部説明図であり、図５は第二の実施例の要部斜視図であり、図６は本発明による梱包装置の第三の実施例を示す分解斜視図であり、図７は第三の実施例の要部斜視図であり、図８は本発明による梱包装置の要部説明図であり、図９は本発明による梱包装置の底部緩衝材の説明図である。
【実施例１】
【００１１】
本発明による梱包装置は、実施例１として図１と図２とで示すように、底部側が、空気調和機の室外機（被梱包品）１を載置し、底部に下方を開放して前後に貫通する一対の逆凹溝２を夫々備えた発泡スチロール製の底部緩衝材３と、前記底部に密接する底面４および前記逆凹溝２に密接する段付面５を備えたダンボール製の底部カートン６とによって構成されている。
【００１２】
前記底部緩衝材３は、コスト的に有利な構成でなる前記底部カートン６の上部に重ねて設置されるようになっており、運搬時にフォークリフトを使用する際、同フォークリフトのフォークを貫入して前記逆凹溝２に密接させた前記段付面５を介して、前記底部緩衝材３に載置された空気調和機の室外機（被梱包品）１を持ち上げるようになっているので、前記底部緩衝材３にフォークが直接に接触してこれを損傷させてしまうというおそれがなくなる。
【００１３】
また、前記段付面５は、その下方が開放されていることから、上記に説明した背景技術のように、前記底部外装ダンボールの底面にフォークが接触して該箇所を損傷させてしまうというおそれがない。
【００１４】
また、前記底部カートン６には、図２および図８で示すように切り起こしによる複数の係止片6aを設ける一方、前記底部緩衝材３の底部には、図８で示すように、前記係止片6aに対応する係止孔3bを設け、同係止孔3bに前記係止片6aを係止することにより、前記底部カートン６が前記底部緩衝材３に対して位置ずれしたり離脱しないようにした構造になる。
【００１５】
これにより、前記底部カートン６が前記底部緩衝材３に正確に位置位置決めされ、前記空気調和機の室外機（被梱包品）１を落下衝撃などに対して効果的に保護できるようになるので、前記底部緩衝材３に、図９で示すように、前記底面４に対向させた所謂外リブ3cを突設させることにより、発泡スチロールの使用材料を少なくすることができるように設計することも可能になる。
【００１６】
また、前記底部緩衝材３の上面には、前記空気調和機の室外機（被梱包品）１の底面に設けられた脚部1aに対応する凹溝3aが形成されており、同凹溝3aに前記脚部1aが適宜隙間を有して収容されることにより、前記空気調和機の室外機（被梱包品）１の底面が前記底部緩衝材３の上面で受けられるようになっている。
【００１７】
そして、前記底部緩衝材３の上面で前記空気調和機の室外機（被梱包品）１の底面を受けたのち、同室外機（被梱包品）１の上部に上部緩衝材７を被着して、これら室外機（被梱包品）１や上部緩衝材７の上方からダンボール製の上部カートン８を被着し、同上部カートン８および前記底部カートン６に、バンド９によってバンド掛けをすればよい。
【００１８】
バンド掛けをする際、図１で示すように、前記バンド９は前記上部カートン８と、前記底部カートン６の底面４とに掛かるようにして、前記段付面５を避けてバンド掛けするようにすればよい。
【００１９】
その際、前記底面４に、図示はしないが前記バンド９が掛かる前後面を連続形成することにより、より強固にバンド掛けできるようになる。
【実施例２】
【００２０】
次に、図３乃至図５とに基づいて、実施例２について説明する。
本発明による梱包装置の底部側が、空気調和機の室外機（被梱包品）１を載置し、底部に下方を開放して前後に貫通する一対の逆凹溝２を夫々備えた発泡スチロール製の底部緩衝材３と、前記底部に密接する底面４および前記逆凹溝２に密接する段付面５を備えたダンボール製の底部カートン６と、同底部カートン６に折返し部6bを介して連続形成されたダンボール製の底部外装カートン6'とによって構成されている。
【００２１】
前記底部外装カートン6'は、左右に一対の挿通穴6'a を備え、同挿通穴6'a の両側部に切り起こしによる係止片6'b を備えた底面6'c と、前記挿通穴6'a に連続する貫通穴6'd を備えた対向する前後面6'e とからなる構成になっている。
【００２２】
そして、図４で示す矢印のように、前記折返し部6bによって前記底部カートン６を折り返すことにより、図５で示すａ部のように、前記係止片6'b を前記底部カートン６の底面４に設けられた係止孔4aに係止して、前記底部カートン６の底面４および段付面５に対し前記底部緩衝材３の底部を密接させるようにすればよい。
【００２３】
すなわち、前記底部カートン６と前記底部外装カートン6'とが、前記折返し部6bを介して、一枚のダンボールによって一体的に形成されたことが特徴になっており、前記折返し部6bによって前記底部カートン６を折り返すことで、前記係止片6'b と前記係止孔4aとを容易に、且つ正確に位置合わせして係止できるようになり、前記底部外装カートン6'を連続形成したことで、本発明による梱包装置の底部側としての強度を増強できるようになり、前記底部緩衝材３をより効果的に保護できるようになる。
【実施例３】
【００２４】
次に、図６と図７とに基づいて、実施例３について説明する。
本発明による梱包装置の底部側が、空気調和機の室外機（被梱包品）１を載置し、底部に下方を開放して前後に貫通する一対の逆凹溝２を夫々備えた発泡スチロール製の底部緩衝材３と、前記底部に密接する底面４および前記逆凹溝２に密接する段付面５を備えたダンボール製の底部カートン６と、同底部カートン６に対応して個別に形成されたダンボール製の底部外装カートン6'とによって構成されている。
【００２５】
前記底部外装カートン6'は、左右に一対の挿通穴6'a を備え、同挿通穴6'a の両側部に切り起こしによる係止片6'b を備えた底面6'c と、前記挿通穴6'a に連続する貫通穴6'd を備えた対向する前後面6'e とからなる構成になっており、前記係止片6'b を前記底部カートン６の底面４に設けられた係止孔4aに係止して、前記底部カートン６の底面４および段付面５に対し前記底部緩衝材３の底部を密接させるようにすればよい。
【００２６】
実施例３では、前記底部カートン６と前記底部外装カートン6'とが、夫々個別に形成されたことが特徴になっており、実施例２の場合は一体的に形成されたことで展開時の外形形状が大型化してしまうのに対し、個別に形成することで外形形状を小型化できるようになる。
【００２７】
なお、実施例１で説明した前記上部緩衝材７、前記上部カートン８および前記バンド９によるバンド掛け等については、実施例２および実施例３においても同様の構成であるから重複をさけるために説明を省略する。
【００２８】
以上の構成により、本発明による梱包装置によって梱包された前記空気調和機の室外機（被梱包品）１をフォークリフトを使って運搬する際、このフォークリフトのフォークが、前記底部緩衝材３や前記バンド９に直接触れることなく、前記底部カートン６の段付面５に直接触れるようにした状態で上方に持ち上げるようになることから、前記底部緩衝材11や前記バンド15を損傷させるおそれがなくなる。
【００２９】
その際、前記底部カートン６の段付面５の下方は開放されているので、上記に説明した背景技術のように、フォークが触れて該箇所を損傷させてしまうおそれがなくなり、フォークリフトによる荷扱いが多少荒くなって、例えばフォークを地面から浮かせていない状態であっても、前記底部外装ダンボールの底面にフォークが接触して該箇所を損傷させてしまうというおそれがない。
【図面の簡単な説明】
【００３０】
【図１】本発明による梱包装置の第一の実施例を示す分解斜視図である。
【図２】第一の実施例の要部斜視図である。
【図３】本発明による梱包装置の第二の実施例を示す分解斜視図である。
【図４】第二の実施例の要部説明図である。
【図５】第二の実施例の要部斜視図である。
【図６】本発明による梱包装置の第三の実施例を示す分解斜視図である。
【図７】第三の実施例の要部斜視図である。
【図８】本発明による梱包装置の要部説明図である。
【図９】本発明による梱包装置の底部緩衝材の説明図である。
【符号の説明】
【００３１】
１  空気調和機の室外機（被梱包品）
２  逆凹溝
３  底部緩衝材
3a  凹溝
3b  係止孔
3c  外リブ
４  底面
4a  係止孔
５  段付面
６  底部カートン
6'  底部外装カートン
6a  係止片
6'a   挿通穴
6'b   係止片
6'c   底面
6'd   貫通穴
6'e   前後面
７  上部緩衝材
８  上部カートン
９  バンド
【図１】
2006001576.tif 000003
【図２】
2006001576.tif 000004
【図３】
2006001576.tif 000005
【図４】
2006001576.tif 000006
【図５】
2006001576.tif 000007
【図６】
2006001576.tif 000008
【図７】
2006001576.tif 000009
【図８】
2006001576.tif 000010
【図９】
2006001576.tif 000011